(57)【要約】      （修正有）【課題】縦紐、横紐に色彩を付し、隣接する縦紐、横紐は色違いの紐を用いて網状に縫合して色違いネットを形成し、該色違いネットを塗装面より一定の間隔距離に吊設することにより、未塗装部分を排除し、膜厚を均一化することを可能とする塗装工法における色違いネットを提供する。【解決手段】光触媒塗料等透明塗料を使用する塗装工法において、隣接する縦紐、横紐を色違いの紐を用いて縫合した色違いネット１を形成し、係止具３により該色違いネットを建造物、看板、テント若しくは建材物等２の塗装面より一定の距離に吊設して、未塗装部分と、塗装完了部分を識別可能にし、塗装抜け、また不必要な重畳した塗装の防止を図り、加えて塗装の膜厚の均一化に効果的な色違いネット。【選択図】図１
0003135094.tif 000002
【実用新案登録請求の範囲】
【請求項１】
家屋等建造物、看板、テント若しくは建材物等に光触媒塗料、若しくは透明塗料を塗布する塗装工法において、縦紐,横紐に色彩を付し、該縦紐、横紐に隣接する紐に色違いを用いて網状に縫合して構成する色違いネット。
【請求項２】
色違いネットの最端部、若しくは必要な箇所に複数の係止具を設けて、該色違いネットを家屋等建造物、看板、テント若しくは建材物等の塗装面との間隔を一定距離に保って、該家屋等建造物、看板、テント若しくは建材物等の塗装面に固定、設置することにより、該色違いネットを吊設することを特徴とする請求項１に記載の色違いネット。
【考案の詳細な説明】
【技術分野】
【０００１】
本考案は、家屋その他建造物、看板、テント若しくは建材物等に光触媒塗料等透明な塗料を使用して塗装を行う場合、網状ネットを構成する縦横の紐を隣接する縦紐、横紐に異なった色彩の紐にて形成することによって一種の識別可能な座標とすることにより、塗装済みの範囲と未塗装の範囲を明確に識別し、且つ該色違いネットを塗装面より一定の距離に設置することにより、塗装塗料の膜厚・塗布を一定にする塗装工法における色違いネットに関するものである。
【背景技術】
【０００２】
従来、家屋その他建造物、看板、テント若しくは建材物等に光触媒塗料等透明な塗料を使用して塗装を行う場合、塗料が透明であるため、塗装済み部分、非塗装部分の判断、塗装膜厚の判断は、作業員の経験、勘に依り判断して施行されていた。
【０００３】
近似する先行技術は発見できなかったが、塗装工法の一例としては、静電気を用いた塗料の飛散を防ぐ方法等（特許文献１参照）があった。
【特許文献１】特開平１１−７６８７３
【考案の開示】
【考案が解決しようとする課題】
【０００４】
家屋その他建造物、看板、テント若しくは建材物等に光触媒塗料等透明な塗料を使用して塗装を行う場合、数日間を要する場合があり、塗料が透明である為、その日に施工した塗装部分と、次の日に塗装する部分との識別が困難であり、作業員の経験、勘に依り判断して施行されている為、未塗装部分が生じたり、前日分に重ねて塗装して、労力の無駄等の問題が生じていた。
【０００５】
塗装膜厚に関しても、塗料が透明である為、作業者の目視による経験と勘での判断では困難であり、均一の膜厚の確保はほぼ不可能であった。このため塗料の無駄使い等の問題が生じていた。
【課題を解決するための手段】
【０００６】
本考案は、縦紐と横紐で構成するネットにおいて、該縦紐に隣接する縦紐に異なった色彩、例えば赤、黒、青、黄色、ピンク等の紐を用い、また同様に、該横紐についても、隣接する横紐に異なった色彩、例えば赤、黒、青、黄色、ピンク等の紐を用いて、該縦紐、横紐を用いて網状に縫合して色違いネットを形成する。該色違いネットは、縦紐、横紐の色彩により、例えば交点（横紐、縦紐）＝（赤、青）の如く一つの座標を示し、例えば,赤縦紐に沿って塗装すれば明確な位置塗装が達成でき、この座標を目印として塗装済み、未塗装の位置を明確に識別できる（図２）。
【０００７】
色違いネットの最端部、若しくは必要な箇所に複数の係止具を設けて、該係止具を家屋等建造物、看板、テント若しくは建材物等の塗装面に固定、設置し、該色違いネットと家屋等建造物、看板、テント若しくは建材物等の塗装面の間隔を一定距離に保って該色違いネットを吊設することにより塗装吹付け距離を一定化する。塗装ガンの塗料噴出口先端位置を、色違いネットより一定の距離を保って塗装を施行することにより、塗装膜厚を該均一にする事ができる（図１、図３）。
【考案の効果】
【０００８】
縦紐、及び横紐の隣接する紐を色違いにして縫合した色違いネットを用いることにより、塗装施工期間が数日〜数週間に渡る時、前の塗装完了座標が明確である為、次の塗装開始時に塗装完了座標の次の座標から塗装開始が出来、光触媒等透明塗料であって、透明性により目視不能な場合でも、未塗装部分を排除でき完全な全面塗装ができた。
【０００９】
建造物、看板、テント若しくは建材物等の塗装面に、その最上部に色違いネットの係止具を設け、該垂直壁面の塗装面と色違いネットの間隔を一定に保つように該色違いネットを吊設することにより、塗装ガンの最先端と塗装面との距離を一定に保って塗料を噴射して塗装施行することにより、塗装膜厚をほぼ均一に塗布する事ができた。
【００１０】
色違いネット、及び塗装面からの一定の距離に該色違いネットを吊設することにより、経験不足である未熟練塗装工でも、塗装残しの排除、不必要な塗装施行の排除、膜厚のほぼ均一化等が可能となり、作業の正確さ、簡便さ、及び効率化が大幅に向上し、経済的効果も大きい。
【考案を実施するための最良の形態】
【００１１】
本考案は、縦紐６と横紐５で構成する網状ネットにおいて、該縦紐６に隣接する縦紐に異なった色彩、例えば、Ａ＝赤、Ｂ＝黒、Ｃ＝青、Ｄ＝黄、Ｅ＝緑・・・・の色彩の紐、また横紐についてもａ＝赤、ｂ＝黒、ｃ＝青、ｄ＝黄、ｅ＝緑・・・・の色彩を用いて結び目１０により色違いネット１を形成する。結び目１０は、縦紐６、横紐５の色違い紐により、一つの座標を表示する事ができる。なお、この場合、ネットの一桝のサイズは、横方向Ｘ＝１５〜２５ｃｍ、縦方向Ｙ＝１５〜２５ｃｍの網目を形成する事が望ましい。但し、紐のサイズ、材質、また枡の形状、サイズは塗装対象物による（図２）。
【００１２】
家屋等大型建造物、看板、テント若しくは建材物等の塗装は数日間を要する工期が必要とされる場合があり、特に、光触媒塗料等透明塗料においては塗装完了面１１と非塗装面１２の識別は、塗料の透明性のため識別が困難であるが、本考案の色違いネット１では、当日分の塗装完了面１１を例えば縦方向座標、（赤、黄）、（黒、黄）、（青、黄）、（黄、黄）及び横方向座標（黄、赤）、（黄、黒）、（黄、青）まで終了した事が認識する事ができ、次回施工時には、縦方向座標（赤、緑）、（黒、緑）、（青、緑）、（黄、緑）、（緑、緑）、横方向座標（緑、赤）、（緑、黒）、（緑、青）、（緑、黄）より施行開始できるので非塗装面１２と塗装面完了面１１を明確に区別する事ができる（図２）。
【００１３】
家屋等建造物、看板、テント若しくは建材物等２の塗装必要面４の最端部及び必要な箇所に複数の係止具３を設け、塗装必要面４と色違いネット１の間隔Ｌが-一定に保つように色違いネットを吊設する。足場９で塗装作業をする作業員７が塗装ガン８と色違いネット１の距離Ｚを一定に保ちながら吹付け作業をする場合、Ｌ＋Ｚが、概略一定になり塗装膜の膜厚を概均一に塗装可能となる。この場合、Ｌ＝８〜１５ｃｍ、Ｚ＝１０〜１５ｃｍで、塗装ガン８のガン口と塗装必要面４との距離Ｌ＋Ｚ＝２０〜２５ｃｍが望ましい。但し、Ｌ＋Ｚの距離は塗装ガンの能力、塗装対象物による（図１、図２）。
【実施例１】
【００１４】
直径概２ｍｍφの麻紐に、赤、黒、青、黄、緑、ピンク等・・・・１２色に染色した縦紐、横紐を、該縦紐、横紐に隣接する紐が色違いになるように、網状に縫合した色違いネットで、該色違いネットの一桝が、縦×横＝２０ｃｍ×２０ｃｍで、横幅８ｍ、縦幅１０ｍの色違いネットを形成する。
【００１５】
形成された色違いネットを、該色違いネットの最端部、及び必要な箇所に複数の係止具にて、建造物の塗装必要面より１０ｃｍの間隔に吊設し、塗装必要面と色違いネットが１０ｃｍになるように設けて、塗装ガンにより光触媒透明塗料を、該色違いネットと塗装ガン口が、目視により概１０ｃｍの位置を保つように塗装施行を行った。
【００１６】
塗装ガンでの光触媒透明塗料の噴射により、約２０〜２５ｃｍφが塗装可能であり、１日目の塗装終了箇所は、色違いネットの色彩による座標により明確であり、次回の塗装開始は、其の座標を目印として継続して塗装する事ができ、塗装の抜け、あるいは重複した不必要な塗装の防止をする事ができた。又塗装必要面に対する色違いネットの位置により、塗装面と塗装ガンとの距離を正確に把握でき、満遍なく均一の塗装膜厚を得る事ができた。
【図面の簡単な説明】
【００１７】
【図１】建造物に色違いネットを係止具にて吊設した状態図。
【図２】色違いネットの構造及び塗装状態平面図。
【図３】色違いネットを用いた塗装施行の状態図。
【符号の説明】
【００１８】
１    色違いネット
２    建造物、看板、テント若しくは建材物等
３    係止具
４    塗装必要面
５    横紐
６    縦紐
７    作業員
８    塗装ガン
９    足場
１０  結び目
１１  塗装完了面
１２  非塗装面
ａ，ｂ，ｃ，ｄ，ｅ  ・・・    赤、黒、青、黄、緑・・・等色彩の横紐
Ａ,Ｂ,Ｃ,Ｄ,Ｅ  ・・・        赤、黒、青、黄、緑・・・等色彩の縦紐
Ｘ    色違いネットの一桝の横幅
Ｙ    色違いネットの一桝の縦幅
Ｌ    塗装面と色違いネットの間隔距離
Ｚ    色違いネットと塗装ガン口の間隔距離
【図１】
0003135094.tif 000003
【図２】
0003135094.tif 000004
【図３】
0003135094.tif 000005
【手続補正書】
【提出日】平成19年6月27日(2007.6.27)
【手続補正１】
【補正対象書類名】実用新案登録請求の範囲
【補正対象項目名】全文
【補正方法】変更
【補正の内容】
【実用新案登録請求の範囲】
【請求項１】
家屋等建造物、看板、テント若しくは建材物等に光触媒塗料、若しくは透明塗料を塗布する塗装工法において、ネット状に連接する縦紐,横紐に色彩を付し、該縦紐、横紐のネット状に連接して隣接する紐に色違いを用いて網状に縫合して構成する色違いネット。
【請求項２】
色違いネットの最端部、若しくは必要な箇所に複数の係止具を設けて、該色違いネットを家屋等建造物、看板、テント若しくは建材物等の塗装面との間隔を一定距離に保って、該家屋等建造物、看板、テント若しくは建材物等の塗装面に固定、設置することにより、該色違いネットを吊設することを特徴とする請求項１に記載の色違いネット。